(57)【要約】      （修正有）【課題】適切なデザインの汎用軸受石要素（２）の外観を装着者が変化させることができる軸受石要素（２）を提供する。【解決手段】長方形の枠体（４）内に２つの回転部（１１、１５）が、枠体（４）によって囲まれた開口（９）を通過する軸（１０）に回転可能に取り付けられて設けられ、第１の回転部（１１）が、細長い第２の回転部（１５）をフォーク状に囲んでいる。第１の回転部（１１）及び第２の回転部（１５）はそれぞれ、１８０°離れた２つの固定位置をとることができ、これら固定位置において、枠体又は第１の回転部（１１）に係止される。回転部（１１、１５）を回転させることによって、軸受石要素（２）の外面を変化させることができる。さらに、軸受石要素を、チェーンを形成すべく組み合わせることができ、例えば時計のストラップとして使用することができる。【選択図】図２
2005312963.tif 000002
【特許請求の範囲】
【請求項１】
開口（９）を囲む枠体（４）と、開口（９）を通過するとともに、両端が枠体（４）に留められている軸（１０）と、前記軸を中心として回転できるよう前記軸上に配置されている少なくとも１つの回転部（１１、１５）とを備えることを特徴とする、軸受石要素（２）。
【請求項２】
少なくとも１つの回転部（１１、１５）が、軸（１０）を受け入れる穴を有することを特徴とする、請求項１に記載の軸受石要素。
【請求項３】
少なくとも１つの回転部（１１、１５）を、嵌まり込みによって枠体（４）へと、少なくとも２つの固定位置に直接又は間接的に係止可能であることを特徴とする、請求項１又は２に記載の軸受石要素。
【請求項４】
互いに独立して回転可能である少なくとも２つの回転部（１１、１５）を備え、第１の回転部（１１）が、少なくとも部分的に第２の回転部（１５）を囲んでいることを特徴とする、請求項１〜３のいずれか１項に記載の軸受石要素。
【請求項５】
第１の回転部（１１）が基部（１２）を有し、該基部（１２）が枠体（４）の第１の部位に隣接するとともに、基部（１２）から、横方向に離間した２つの延長部（１３、１４）が、第１の部位に対向する枠体（４）の第２の部位に向かって延びており、枠体（４）の第２の部位に隣接する第２の回転部（１５）が、延長部（１３、１４）の間に位置し、軸（１０）が、第１の回転部の基部（１２）及び第２の回転部（１５）を通って突出していることを特徴とする、請求項２及び４に記載の軸受石要素。
【請求項６】
枠体（４）が実質的に長方形であることを特徴とする、請求項１〜５のいずれか１項に記載の軸受石要素。
【請求項７】
各回転部（１１、１５）が固定位置にあるとき、枠体（４）の開口（９）が、少なくとも１つの回転部（１１、１５）によって完全に満たされていることを特徴とする、請求項３〜６のいずれか１項に記載の軸受石要素。
【請求項８】
請求項１〜７のいずれか１項に記載の軸受石要素（２）を複数個連続して有し、該軸受石要素が、互いに対をなして接続されている、チェーン。
【請求項９】
接続された軸受石要素（２）が、平行な接続軸（２２）をいずれの場合においても中心として、お互いに対してある限られた範囲で回転可能であることを特徴とする、請求項８に記載のチェーン。
【請求項１０】
軸受石要素（２）のそれぞれの軸（１０）が、接続軸（２２）と平行であることを特徴とする、請求項９に記載のチェーン。
【発明の詳細な説明】
【技術分野】
【０００１】
本発明は、軸受石要素、及び本発明に係る軸受石要素を複数個備えて構成され、例えば、腕バンドとして装着、又は時計のストラップとして使用可能なチェーンに関する。
【背景技術】
【０００２】
周知の汎用軸受石要素は、通常、可動部を有していない。したがって、それらの外観を変化させることができない。
【発明の開示】
【発明が解決しようとする課題】
【０００３】
本発明の目的は、適切なデザインの汎用軸受石要素であって、それらの外観を装着者が変化させることができる軸受石要素を提供することにある。本目的は、請求項１の特徴部分に記載の特徴により達成される。
［課題を解決するための手段及び発明の効果］
【０００４】
本発明の利点は、特に、異なる面を異なるようにデザイン又は装飾することができる回転部が、任意により、ある１つの面又は他の面を目に付く外側へと向けた２つ以上の回転位置へともたらされる点にある。可能な変形のうち、各軸受石要素が少なくとも２つの回転部を有する場合が、とくに重要である。それらは、回転部を種々に設定することによってきわめて様々なパターンを生み出すことができる本発明による軸受石要素からなるチェーンの場合において、さらに強く強調される。
【発明を実施するための最良の形態】
【０００５】
以下、本発明を、唯一の実施形態を示す図面を参照しながら、より詳細に説明する。
【０００６】
本発明に係る図２の軸受石要素は、図１に示すように、時計用ストラップのチェーンの連結片として適するように形成されている。図１には、時計１及び時計１の両側に取り付けられた２つのチェーン片が示されており、チェーン片はいずれも４つの軸受石要素２からなり、端部には、相補をなす閉じ具３の部品対が取り付けられている。
【０００７】
軸受石要素２は、第１の部品と第２の部品とから構成される長方形の枠体４を有しており、第１の部品が、第１の前面帯５及び第１の前面帯５に隣接する２つの側面帯６、７からなり、第２の部品が、第１の前面帯５に対向する第２の前面帯８で構成されている。上記前面帯８は、２つの側面帯６、７の端部にねじ止めされ、あるいは他の方法で着脱可能に接続されている。
【０００８】
枠体４によって長方形の開口９が囲まれており、この開口９を軸１０が、側面帯６、７の間の中央かつこれらと平行に配置されて通過しており、この軸１０が、両端において前面帯８の貫通孔を通過して続いており、すなわち枠体３に固定されている。上記軸は、一体にねじ止めされ取り外しが可能である２つの部品で構成されている。軸１０は、基部１２を第１の前面帯５に隣接して備える第１の回転部１１を保持しており、基部１２から、互いに離れて位置する２つの延長部１３、１４が横方向に第２の前面帯８まで突出している。２つの延長部１３、１４の間に形成される凹所に、細長い第２の回転部１５が配置されており、同様に第２の前面帯８まで延びるとともに、第１の回転部１１によってフォーク状に包囲されている。
【０００９】
第２の回転部１５は、長手方向の穴を有し、この穴が、基部１２を貫く穴へと続いている。これらの穴が軸１０を収容しており、すなわち回転部１１、１５が軸１０上で回転できるように取り付けされている。第１の回転部１１の側面は、軸が軸１０と一致する円柱の側面の一部分の形状である。側面帯６、７の内表面は、これと相補的であるように形成されている。これに合わせ、第２の回転部１５の側面も、円柱の側面の一部であり、延長部１３、１４の内表面が、これと相補的である（図４ｂ、図４ｄ参照）。前面帯５、８及び回転部１１、１５に面する前面は、いずれの場合も平坦であって、軸１０に直交している。
【００１０】
軸受石要素２の構造をより分かりやすくするため、図１、図２、図３ａ〜図３ｃにおいては、第１の回転部１１及び第２の回転部１５が中間的な位置で示されているが、これらは、軸受石要素２が装着されたとき、通常は嵌め合い係合による固定の位置（図４ａ、図４ｂ、図４ｄ参照）にセットされる。この目的のため、第１の回転部１１が、延長部１４の端部にボールキャッチ１６を有しており、延長部１４の前面から突出しているこのボールキャッチ１６を、圧縮ばねの力に対向して前面の向こうへと押し戻すことができる。第２の前面帯８が、２つの行き止まり穴１７、１８を有しており、これらの行き止まり穴にボールキャッチ１６が嵌まり込むことができる。図４ａ、図４ｂ、図４ｄに示した固定位置においては、ボールキャッチ１６が行き止まり穴１８に嵌まり込んでいる。一方で、第１の回転部１１を、ボールキャッチ１６が行き止まり穴１７へと嵌まり込む第２の位置へと、１８０°回転させることができる。
【００１１】
これと完全に対応した方法で、第２の回転部１５を第１の回転部１１とともに１８０°離れた２つの固定位置に係止できるよう、第２の回転部１５が、自身の前面から突出するとともに、基部１２の内面に位置する２つの行き止まり穴へと嵌まり込むことができるボールキャッチを保持している。したがって、２つの回転部１１、１５が固定位置にある場合、第１の回転部１１が枠体４に直接係止され、第２の回転部１５は、第１の回転部１１に直接係止され、第１の回転部１１を介して間接的に係止される。回転部１１、１５が開口９を完全に満たしており（図４ａ、図４ｂ、図４ｄ参照）、軸受石要素２の外側に、円柱の側面部の形状を有する滑らかな表面を形成している。第１の回転部１１による第２の回転部１５のフォーク状の包囲は、審美的デザインの可能性ならびに簡潔さ及び機械的安定性の両者において好都合であり、さらに、この設計ゆえ、軸受石要素を容易に変化させることが可能である。
【００１２】
軸受石要素２を対に接続し、それらからチェーン又はチェーン片を組み立てることができるよう、第１の側面帯６が、いずれの場合にも、長手方向の貫通孔を有する中央の円筒形の受け座１９を外側に有する一方で、第２の側面帯７が、側方の２つの受け座２０、２１を、中央の受け座１９の長さよりもわずかに大きく離して、あるいは他の方法で相当するように形成して有している。いずれの場合においても、さらなる軸受石要素２の中央の受け座を、上記側方の受け座の間に押し込むことができ（図１）、一致するようにされたそれらの穴へとピン状の接続軸２２を押し込むことによって、軸受石要素間の接続を確立することができる。この接続は、隣接する軸受石要素２の軸１０と平行である接続軸２２を中心として、接続された軸受石要素の相互の回転をある程度許容する。
【００１３】
本発明の技術的範囲を離れることなく、軸受石要素について多数の変更が可能である。すなわち、いずれの場合においても、例えば、第２の回転部も同様に枠体又は両者へと直接係止することができるよう、係止装置を反対側の前面に配置することができる。例えば３つ又は４つなど、例えば１２０°又は９０°の間隔で互いに続く３つ以上の固定位置を設けることも可能である。回転部を、上記以外の方法で構成することも可能である。例えば軸受石要素が円形であって対応して形成された回転部を備えるなど、軸受石要素の形状が異なっていてもよい。回転部を１つだけ設けることも可能であり、あるいは３つ以上の回転部を設けることも可能である。最後に、軸受石要素を、受け座１９、２０、２１をなしにして、独立して身に着けることができるように準備することができる。次いで、そのような軸受石要素を、例えば、ピン又は金具によって衣料品に固定することができ、首の周りのチェーン又は指輪に装着することができ、あるいは適切な固定装置と組み合わせて耳飾りとして使用することができる。本発明による軸受石要素から形成されたチェーンは、時計のストラップとしてのみならず、腕バンド又は首バンドとしても適当である。
【００１４】
原則として、外側へと回転させられる可能性がある回転部の表面部は、例えば宝石用原石が異なる模様でセットされ、彫刻が施され、あるいは被膜が施されるなど、異なるように形成され、したがって軸受石要素の外観を、回転部を回転させることによって変化させることができる。また、軸受石要素が、外側が例えば行事に応じてより簡素に、あるいはより豪華にデザインされるように形成することも可能である。個々の軸受石要素の外観を独立して変化させることができる軸受石要素からなるチェーンは、考えられる多数の組み合わせを利用可能であるという結果によって、きわめて面白い可能性を提供する。
【図面の簡単な説明】
【００１５】
【図１】時計用ストラップとして機能する本発明に係る軸受石要素のチェーンを備える時計の斜視図であり、ここで、回転部が中間位置に位置している。
【図２】図１のチェーンの個々の軸受石要素を、拡大して示す。
【図３−ａ】図２の軸受石要素の平面図。
【図３−ｂ】図２の軸受石要素の側面図。
【図３−ｃ】図２の軸受石要素の正面図。
【図４−ａ】図２の軸受石要素の平面図であって、ここで、回転部が固定位置に位置している。
【図４−ｂ】図４ａのＢ−Ｂ線に沿う断面図。
【図４−ｃ】図４ａのＣ−Ｃ線に対応する断面図。
【図４−ｄ】図４ａのＤ−Ｄ線に対応する断面図。
【符号の説明】
【００１６】
１  時計
２  軸受石要素
３  閉じ具
４  枠体
５  第１の前面帯
６、７  側面帯
８  第２の前面帯
９  開口
１０  軸
１１  第１の回転部
１２  基部
１３、１４  延長部
１５  第２の回転部
１６  ボールキャッチ
１７、１８  行き止まり穴
１９  中央の受け座
２０、２１  側方の受け座
２２  接続軸
【図１】
2005312963.tif 000003
【図２】
2005312963.tif 000004
【図３−ａ】
2005312963.tif 000005
【図３−ｂ】
2005312963.tif 000006
【図３−ｃ】
2005312963.tif 000007
【図４−ａ】
2005312963.tif 000008
【図４−ｂ】
2005312963.tif 000009
【図４−ｃ】
2005312963.tif 000010
【図４−ｄ】
2005312963.tif 000011